【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
パッケージを含む放送コンテンツが消費環境及びユーザ選好度に合わせて選択できるようにするターゲット情報を用いるカスタマイズされた放送サービス提供装置であって、
前記放送コンテンツ及び前記ターゲット情報を含むメタデータをユーザ端末に公示して提供するコンテンツ提供手段と、
前記ユーザ端末から受信した検索及び選択信号に相応するコンテンツ識別情報を提供するコンテンツ検索手段と
を備え、
前記ターゲット情報が、前記放送コンテンツの消費環境を記述する情報であって、
ユーザ情報を記述する人名情報と、
端末情報を記述するターミナル情報と、
を含むことを特徴とするカスタマイズされた放送サービス提供装置。
【請求項２】
前記コンテンツ提供手段が、
前記人名情報及びターミナル情報を用いて前記ターゲット情報を生成して前記パッケージを構成するコンポーネントの消費に適切なユーザ環境及び選好度を明示したメタデータを生成するコンテンツ生成手段を備えることを特徴とする請求項１に記載のカスタマイズされた放送サービス提供装置。
【請求項３】
前記コンテンツ生成手段が、
ＡＶ番組に独立的なパッケージを提供する場合は、パッケージのみを生成し、
ＡＶ番組に依存的なパッケージを提供する場合は、ＡＶ番組及びパッケージを生成することを特徴とする請求項２に記載のカスタマイズされた放送サービス提供装置。
【請求項４】
前記コンテンツ検索手段が、
ユーザが前記放送コンテンツを検索できるようにするため、電子番組ガイド（Ｅｌｅｃｔｒｏｎｉｃ  Ｐｒｏｇｒａｍ  Ｇｕｉｄｅ、以下、ＥＰＧとする）を用いて前記ターゲット情報を含むメタデータを提供することを特徴とする請求項１に記載のカスタマイズされた放送サービス提供装置。
【請求項５】
前記コンテンツ検索手段が、
前記ユーザ端末が、前記ＥＰＧを用いて前記放送コンテンツ情報を把握し、前記ターゲット情報を含むメタデータを用いて前記放送コンテンツの消費に適切なユーザ環境及び選好度情報と前記ユーザ端末自体の環境及び選好度とを比較して、消費しようとする放送コンテンツを検索することを特徴とする請求項４に記載のカスタマイズされた放送サービス提供装置。
【請求項６】
前記人名情報が、
ユーザの年齢を記述する年齢グループ情報と、
ユーザの家族構成員を記述する家族構成員情報と、
を含むことを特徴とする請求項１に記載のカスタマイズされた放送サービス提供装置。
【請求項７】
前記家族構成員情報が、
コントロールドタームタイプ（ＣｏｎｔｒｏｌｌｅｄＴｅｒｍＴｙｐｅ）によって記述されることを特徴とする請求項６に記載のカスタマイズされた放送サービス提供装置。
【請求項８】
前記人名情報が、下記のようなＸＭＬ構文を含んで記述されることを特徴とする請求項７に記載のカスタマイズされた放送サービス提供装置。
<complexType name="BioGraphicInformationType">
<sequence>
<element name="Name" type="mpeg7:PersonNameType" minOccurs="0"/>
<element name="Language" type="tva2:LanguageType" minOccurs="0"/>
<element name="BirthDate" type="mpeg7:TimeType" minOccurs="0"/>
<element name="Age" type="mpeg7:unsigned8" minOccurs="0"/>
<element name="AgeGroup" type="tva2:AgeRangeType" minOccurs="0"/>
<element name="OtherFamilyMember" type="tva:ControlledTermType" minOccurs="0" 
maxOccurs="unbounded"/>
<element name="Gender" minOccurs="0">
【請求項９】
前記ターミナル情報が、ストレージユニットの特徴を記述するストレージ情報を含むことを特徴とする請求項１に記載のカスタマイズされた放送サービス提供装置。
【請求項１０】
前記ストレージ情報が、ストレージタイプ（ＳｔｏｒａｇｅＴｙｐｅ）によって記述されることを特徴とする請求項９に記載のカスタマイズされた放送サービス提供装置。
【請求項１１】
パッケージを含む放送コンテンツが消費環境及びユーザ選好度に合わせて選択できるようにするターゲット情報を用いるカスタマイズされた放送サービス提供方法であって、
前記放送コンテンツ及び前記ターゲット情報を含むメタデータをユーザ端末に公示する公示ステップと、
前記ユーザ端末から受信した検索及び選択信号に相応するコンテンツ識別情報を提供するコンテンツ検索・選択ステップと、
前記コンテンツ識別情報を用いて前記放送コンテンツの物理的位置を決めて位置情報を提供する位置決定ステップと、
前記位置情報に基づいて前記放送コンテンツを提供するコンテンツ提供ステップと
を含み、
前記ターゲット情報が、前記放送コンテンツの消費環境を記述する情報であって、
ユーザ情報を記述する人名情報と、
端末情報を記述するターミナル情報と、
を含むことを特徴とするカスタマイズされた放送サービス提供方法。
【請求項１２】
前記人名情報及びターミナル情報を用いて前記ターゲット情報を生成して前記パッケージを構成するコンポーネントの消費に適切なユーザ環境及び選好度を明示したメタデータを生成するコンテンツ生成ステップ
を更に含むことを特徴とする請求項１１に記載のカスタマイズされた放送サービス提供方法。
【請求項１３】
前記人名情報が、
ユーザの年齢を記述する年齢グループ情報と、
ユーザの家族構成員を記述する家族構成員情報と、
を含むことを特徴とする請求項１１に記載のカスタマイズされた放送サービス提供方法。
【請求項１４】
前記家族構成員情報が、コントロールドタームタイプ（ＣｏｎｔｒｏｌｌｅｄＴｅｒｍＴｙｐｅ）によって記述されることを特徴とする請求項１１に記載のカスタマイズされた放送サービス提供方法。
【請求項１５】
前記人名情報が、下記のようなＸＭＬ構文を含んで記述されることを特徴とする請求項１１に記載のカスタマイズされた放送サービス提供方法。
<complexType name="BioGraphicInformationType">
<sequence>
<element name="Name" type="mpeg7:PersonNameType" minOccurs="0"/>
<element name="Language" type="tva2:LanguageType" minOccurs="0"/>
<element name="BirthDate" type="mpeg7:TimeType" minOccurs="0"/>
<element name="Age" type="mpeg7:unsigned8" minOccurs="0"/>
<element name="AgeGroup" type="tva2:AgeRangeType" minOccurs="0"/>
<element name="OtherFamilyMember" type="tva:ControlledTermType" minOccurs="0" 
maxOccurs="unbounded"/>
<element name="Gender" minOccurs="0">
【請求項１６】
前記ターミナル情報が、ストレージユニットの特徴を記述するストレージ情報を含むことを特徴とする請求項１１に記載のカスタマイズされた放送サービス提供方法。
【請求項１７】
前記ストレージ情報が、ストレージタイプ（ＳｔｏｒａｇｅＴｙｐｅ）によって記述されることを特徴とする請求項１６に記載のカスタマイズされた放送サービス提供方法。
【請求項１８】
ＡＶ番組及びパッケージを含む放送コンテンツが消費環境及びユーザ選好度に合わせて選択できるようにするターゲット情報を用いるユーザ端末装置であって、
前記ターゲット情報を含むメタデータを用いて前記放送コンテンツを検索及び選択して獲得するユーザ相互作用部と、
前記獲得した放送コンテンツ及びメタデータを格納して管理する格納装置管理部と、
ユーザが視聴できるように前記放送コンテンツ及びメタデータを表出するコンテンツ出力部と、
を備え、
前記ターゲット情報が、前記放送コンテンツの消費環境を記述する情報であって、
ユーザ情報を記述する人名情報と、
端末情報を記述するターミナル情報と、
を含むことを特徴とするユーザ端末装置。
【請求項１９】
前記ユーザ相互作用部が、前記パッケージに属する個別コンポーネントのアトラクティブメタデータを把握し、それぞれのコンポーネントの消費に適切なユーザ環境及び選好度情報と自体の環境及び選好度とを前記ターゲット情報を用いて比較し、消費しようとする全体又は部分コンポーネントを自動又は半自動的に選択することを特徴とする請求項１８に記載のユーザ端末装置。
【請求項２０】
前記人名情報が、
ユーザの年齢を記述する年齢グループ情報と、
ユーザの家族構成員を記述する家族構成員情報と、
を含むことを特徴とする請求項１８に記載のユーザ端末装置。
【請求項２１】
前記ターミナル情報が、ストレージユニットの特徴を記述するストレージ情報を含むことを特徴とする請求項１８に記載のユーザ端末装置。
【請求項２２】
パッケージを含む放送コンテンツが消費環境及びユーザ選好度に合わせて選択できるようにするターゲット情報を含むメタデータを記録したコンピュータで読み取り可能な記録媒体であって、
前記ターゲット情報が、前記放送コンテンツの消費環境を記述する情報であって、
ユーザ情報を記述する人名情報と、
端末情報を記述するターミナル情報と、
を含むことを特徴とするコンピュータで読み取り可能な記録媒体。